(57)【要約】      （修正有）【課題】自動的にＴシャツをたためるだけではなく、収納も可能な収納装置を提供する。【解決手段】棚主体１１を含み、収納チャンバ１５の中には推移装置１０１が設置され、貯蔵チャンバ１２の上側には折り畳み装置１０２が設置され、前記折り畳み装置の右側には制御装置１０３が設置され、前記折り畳み装置の中には伸縮板２０が設置され、前記伸縮板の上側には上折り板２２と側折り板とが設置され、前記伸縮板の中の右側にはベルトコンベヤー２４が設置され、上折り板と側折り板により折りたたむことができ、前記ベルトコンベヤーにより輸送できる。【選択図】図１
2020175142.tif 000002
【特許請求の範囲】
【請求項１】
正面図で、Ｔシャツの畳みと収納装置は：棚主体を含み、前記棚主体の中には左方へ開口した貯蔵チャンバが設置され、前記貯蔵チャンバの中には引き出しがスライドできるように設置され、前記引き出しの左端には取手が固定的に設置され、前記引き出しの中には収納チャンバが設置され、前記収納チャンバの右側には推移装置が設置され、前記貯蔵チャンバの上側には折り畳み装置が設置され、前記折り畳み装置の右側には制御装置が設置され、前記推移装置は前記収納チャンバの中にスライドできるように設置されている推し板を含み、前記推し板の右端には推しロッドが固定的に連結され、前記折り畳み装置は前記貯蔵チャンバの上側内壁の中に連通するように設置されている服落としチャンバを含み、前記服落としチャンバの上側には左方へ開口した伸縮チャンバが連通するように設置され、前記伸縮チャンバの中には伸縮板がスライドできるように設置され、前記伸縮板の左端には密封板が固定的に設置され、前記伸縮板の上側の左端には上折り板が設置され、前記伸縮板の上側の前後両端にはそれぞれ側折り板が設置され、前記伸縮板の中にはベルトコンベヤーが設置され、前記上折り板の下側にはモーターが設置され、前記制御装置は前記伸縮チャンバの右側に設置されている制御チャンバを含み、前記制御チャンバの右壁下端には制御モーターが固定的に設置され、前記制御モーターの左端には制御ネジロッドが動力が伝達できるように連結され、前記制御ネジロッドには前記制御チャンバの内壁にスライドできるように連結されている制御ブロックがネジ山により連結され、前記制御ブロックの中に動力モーターが固定的に設置され、前記モーターは前記上折り板と前記側折り板とを制御して折り畳むことを行わせ、前記制御モーターは前記動力モーターを制御して動力の伝達を行わせることを特徴とするＴシャツの畳みと収納装置。
【請求項２】
前記推移装置は前記貯蔵チャンバの右側に連通するように設置されている推しロッドチャンバを含み、前記推しロッドが前記引き出しを通して前記推しロッドチャンバの中まで伸びており、前記推しロッドの下端面の中にはラックが固定的に設置され、前記推しロッドチャンバの下壁には伝動チャンバが連通するように設置され、前記伝動チャンバの中には前記ラックと噛み合っているラック歯車が回転できるように設置され、前記ラック歯車の前端には従動傘歯車が固定的に設置され、前記従動傘歯車の右端には前記従動傘歯車と噛み合っている主動傘歯車が設置され、前記主動傘歯車の右端には回転軸が固定的に連結され、前記推しロッドチャンバの右側にはプーリチャンバが設置され、前記回転軸の右端が前記プーリチャンバの中まで伸びており、且つ前記回転軸の右端には従動プーリが固定的に連結され、前記従動プーリの上側には主動プーリが回転できるように設置され、前記従動プーリと前記主動プーリとの間には伝動ベルトが巻きつくように設置され、前記推しロッドは前記推し板を連動させて左右に移動させることができることを特徴とする請求項１に記載のＴシャツの畳みと収納装置。  
【請求項３】
前記折り畳み装置は、前記伸縮板の中に設置され、且つ上方へ開口した上折り板チャンバを含み、前記上折り板の右端が前記上折り板チャンバの前後壁と回転できるように連結され、前記上折り板と前記上折り板チャンバの内壁との間には捻りバネが固定的に連結され、前記上折り板チャンバの下壁には平歯車チャンバが前後対称的に、且つ連通するように設置され、前記モーターは両側の前記平歯車チャンバの間の内壁の中に固定的に設置され、且つ前記モーターの前後側には平歯車が動力が伝達できるように連結され、前記上折り板の右端には平歯車リングが固定的に設置され、前記上折り板チャンバの前後両側には側折り板チャンバが対称的に設置され、前記側折り板の前記上折り板チャンバに近接している一端が前記側折り板チャンバの内壁に回転できるように連結され、前記側折り板の回転中心のところには従動斜歯歯車が固定的に設置され、前記従動斜歯歯車の左右両端と前記伸縮板との間には復帰バネが固定的に連結され、前記側折り板チャンバの下側には斜歯車チャンバが設置され、前記斜歯車チャンバの中には前記従動斜歯歯車と噛み合っている主動斜歯歯車が設置され、前記主動斜歯歯車が前記平歯車に動力が伝達できるように連結され、前記上折り板チャンバの右側には上方へ開口した輸送チャンバが連通するように設置され、前記輸送チャンバの中には輸送ホイールが左右対称的に、且つ回転できるように設置され、前記ベルトコンベヤーが前記輸送ホイールに巻き付くように設置され、右側の前記輸送ホイールの前端には伝動斜歯歯車が固定的に連結され、前記伸縮チャンバの下壁の左端には空きチャンバが連通するように設置され、前記空きチャンバの中には動力斜歯歯車が回転できるように設置され、前記伸縮板の中には右方へ開口したネジ山チャンバが前後対称的に設置され、前記ネジ山チャンバの中には伸縮ネジロッドがネジ山より連結され、前記上折り板と前記側折り板とが次々と衣類を畳み、前記ベルトコンベヤーは衣類を輸送することができることを特徴とする請求項１に記載のＴシャツの畳みと収納装置。
【請求項４】
前記制御装置は前記動力モーターの右端に動力が伝達できるように連結されている動力平歯車を含み、前記動力平歯車の上端には前記動力平歯車と噛み合っている上平歯車が設置され、前記制御チャンバの左側にはプーリ伝動チャンバが設置され、前記プーリ伝動チャンバの中には前記上平歯車に動力が伝達できるように連結されている動力プーリが回転できるように設置され、前記動力プーリの前後両側には伝動プーリが対称的に、且つ動力が伝達できるように連結され、前記動力平歯車の後側には後平歯車が設置され、前記後平歯車の左端には伝動軸が固定的に連結され、前記伝動軸の左端が前記動力斜歯歯車に固定的に連結され、前記動力平歯車の右側には前記動力平歯車と噛み合っている内歯車が設置され、前記内歯車は前記主動プーリに動力が伝達できるように連結されていることを特徴とする請求項１に記載のＴシャツの畳みと収納装置。  
【発明の詳細な説明】
【技術分野】
【０００１】
本発明は生活用品技術分野を取り上げて、具体的にはＴシャツの畳みと収納装置である。
【背景技術】
【０００２】
衣類をたたむことは時間がかかる家事であり、夏にＴシャツは着替えの回数が一番多い衣類であり、毎日も長い時間を使って衣類をたたんで収納し、現有の一部の装置ははやく衣類をたたむことに役に立ち、しかし一足飛びに目的を達成できなく、そのため、Ｔシャツの畳みと収納装置が必要であり、本装置は自動的に衣類をたためるだけではなく、収納もでき、時間と精力を節約します。
【先行技術文献】
【特許文献】
【０００３】
【特許文献１】中国特許出願公開第１０９５１２１０８号明細書
【発明の概要】
【発明が解決しようとする課題】
【０００４】
本発明はＴシャツの畳みと収納装置を提供し、従来技術における上記欠点を解消することを目的とする。
【課題を解決するための手段】
【０００５】
本発明のＴシャツの畳みと収納装置は、棚主体を含み、前記棚主体の中には左方へ開口した貯蔵チャンバが設置され、前記貯蔵チャンバの中には引き出しがスライドできるように設置され、前記引き出しの左端には取手が固定的に設置され、前記引き出しの中には収納チャンバが設置され、前記収納チャンバの右側には推移装置が設置され、前記貯蔵チャンバの上側には折り畳み装置が設置され、前記折り畳み装置の右側には制御装置が設置され、前記推移装置は前記収納チャンバの中にスライドできるように設置されている推し板を含み、前記推し板の右端には推しロッドが固定的に連結され、前記折り畳み装置は前記貯蔵チャンバの上側内壁の中に連通するように設置されている服落としチャンバを含み、前記服落としチャンバの上側には左方へ開口した伸縮チャンバが連通するように設置され、前記伸縮チャンバの中には伸縮板がスライドできるように設置され、前記伸縮板の左端には密封板が固定的に設置され、前記伸縮板の上側の左端には上折り板が設置され、前記伸縮板の上側の前後両端にはそれぞれ側折り板が設置され、前記伸縮板の中にはベルトコンベヤーが設置され、前記上折り板の下側にはモーターが設置され、前記制御装置は前記伸縮チャンバの右側に設置されている制御チャンバを含み、前記制御チャンバの右壁下端には制御モーターが固定的に設置され、前記制御モーターの左端には制御ネジロッドが動力が伝達できるように連結され、前記制御ネジロッドには前記制御チャンバの内壁にスライドできるように連結されている制御ブロックがネジ山により連結され、前記制御ブロックの中に動力モーターが固定的に設置され、前記モーターは前記上折り板と前記側折り板とを制御して折り畳むことを行わせ、前記制御モーターは前記動力モーターを制御して動力の伝達を行わせる。
【０００６】
更の技術プランとしては、前記推移装置は前記貯蔵チャンバの右側に連通するように設置されている推しロッドチャンバを含み、前記推しロッドが前記引き出しを通して前記推しロッドチャンバの中まで伸びており、前記推しロッドの下端面の中にはラックが固定的に設置され、前記推しロッドチャンバの下壁には伝動チャンバが連通するように設置され、前記伝動チャンバの中には前記ラックと噛み合っているラック歯車が回転できるように設置され、前記ラック歯車の前端には従動傘歯車が固定的に設置され、前記従動傘歯車の右端には前記従動傘歯車と噛み合っている主動傘歯車が設置され、前記主動傘歯車の右端には回転軸が固定的に連結され、前記推しロッドチャンバの右側にはプーリチャンバが設置され、前記回転軸の右端が前記プーリチャンバの中まで伸びており、且つ前記回転軸の右端には従動プーリが固定的に連結され、前記従動プーリの上側には主動プーリが回転できるように設置され、前記従動プーリと前記主動プーリとの間には伝動ベルトが巻きつくように設置され、前記推しロッドは前記推し板を連動させて左右に移動させることができる。  
【０００７】
更の技術プランとしては、前記折り畳み装置は、前記伸縮板の中に設置され、且つ上方へ開口した上折り板チャンバを含み、前記上折り板の右端が前記上折り板チャンバの前後壁と回転できるように連結され、前記上折り板と前記上折り板チャンバの内壁との間には捻りバネが固定的に連結され、前記上折り板チャンバの下壁には平歯車チャンバが前後対称的に、且つ連通するように設置され、前記モーターは両側の前記平歯車チャンバの間の内壁の中に固定的に設置され、且つ前記モーターの前後側には平歯車が動力が伝達できるように連結され、前記上折り板の右端には平歯車リングが固定的に設置され、前記上折り板チャンバの前後両側には側折り板チャンバが対称的に設置され、前記側折り板の前記上折り板チャンバに近接している一端が前記側折り板チャンバの内壁に回転できるように連結され、前記側折り板の回転中心のところには従動斜歯歯車が固定的に設置され、前記従動斜歯歯車の左右両端と前記伸縮板との間には復帰バネが固定的に連結され、前記側折り板チャンバの下側には斜歯車チャンバが設置され、前記斜歯車チャンバの中には前記従動斜歯歯車と噛み合っている主動斜歯歯車が設置され、前記主動斜歯歯車が前記平歯車に動力が伝達できるように連結され、前記上折り板チャンバの右側には上方へ開口した輸送チャンバが連通するように設置され、前記輸送チャンバの中には輸送ホイールが左右対称的に、且つ回転できるように設置され、前記ベルトコンベヤーが前記輸送ホイールに巻き付くように設置され、右側の前記輸送ホイールの前端には伝動斜歯歯車が固定的に連結され、前記伸縮チャンバの下壁の左端には空きチャンバが連通するように設置され、前記空きチャンバの中には動力斜歯歯車が回転できるように設置され、前記伸縮板の中には右方へ開口したネジ山チャンバが前後対称的に設置され、前記ネジ山チャンバの中には伸縮ネジロッドがネジ山より連結され、前記上折り板と前記側折り板とが次々と衣類を畳み、前記ベルトコンベヤーは衣類を輸送することができる。
【０００８】
更の技術プランとしては、前記制御装置は前記動力モーターの右端に動力が伝達できるように連結されている動力平歯車を含み、前記動力平歯車の上端には前記動力平歯車と噛み合っている上平歯車が設置され、前記制御チャンバの左側にはプーリ伝動チャンバが設置され、前記プーリ伝動チャンバの中には前記上平歯車に動力が伝達できるように連結されている動力プーリが回転できるように設置され、前記動力プーリの前後両側には伝動プーリが対称的に、且つ動力が伝達できるように連結され、前記動力平歯車の後側には後平歯車が設置され、前記後平歯車の左端には伝動軸が固定的に連結され、前記伝動軸の左端が前記動力斜歯歯車に固定的に連結され、前記動力平歯車の右側には前記動力平歯車と噛み合っている内歯車が設置され、前記内歯車は前記主動プーリに動力が伝達できるように連結されている。  
【発明の効果】
【０００９】
本発明の有益効果は：本発明は構造が簡単で、操作が便利であり、本装置により自動的に衣類をたたんで収納することができ、家事の労働量を減少できるだけではなく、労働の効率も向上させる。  
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のＴシャツの畳みと収納装置の内部全体構成模式図
【図２】図２は図１の「Ａ−Ａ」方向の構成模式図
【図３】図３は図１の「Ｂ−Ｂ」方向の構成模式図
【図４】図４は図１の「Ｃ−Ｃ」方向の構成模式図
【発明を実施するための形態】
【００１２】
図１〜４を参照し、本発明の提供した実施例はＴシャツの畳みと収納装置は：棚主体１１を含み、前記棚主体１１の中には左方へ開口した貯蔵チャンバ１２が設置され、前記貯蔵チャンバ１２の中には引き出し１３がスライドできるように設置され、前記引き出し１３の左端には取手１４が固定的に設置され、前記引き出し１３の中には収納チャンバ１５が設置され、前記収納チャンバ１５の右側には推移装置１０１が設置され、前記貯蔵チャンバ１２の上側には折り畳み装置１０２が設置され、前記折り畳み装置１０２の右側には制御装置１０３が設置され、前記推移装置１０１は前記収納チャンバ１５の中にスライドできるように設置されている推し板１６を含み、前記推し板１６の右端には推しロッド１７が固定的に連結され、前記折り畳み装置１０２は前記貯蔵チャンバ１２の上側内壁の中に連通するように設置されている服落としチャンバ１８を含み、前記服落としチャンバ１８の上側には左方へ開口した伸縮チャンバ１９が連通するように設置され、前記伸縮チャンバ１９の中には伸縮板２０がスライドできるように設置され、前記伸縮板２０の左端には密封板２１が固定的に設置され、前記伸縮板２０の上側の左端には上折り板２２が設置され、前記伸縮板２０の上側の前後両端にはそれぞれ側折り板２３が設置され、前記伸縮板２０の中にはベルトコンベヤー２４が設置され、前記上折り板２２の下側にはモーター２５が設置され、前記制御装置１０３は前記伸縮チャンバ１９の右側に設置されている制御チャンバ２６を含み、前記制御チャンバ２６の右壁下端には制御モーター２７が固定的に設置され、前記制御モーター２７の左端には制御ネジロッド２８が動力が伝達できるように連結され、前記制御ネジロッド２８には前記制御チャンバ２６の内壁にスライドできるように連結されている制御ブロック２９がネジ山により連結され、前記制御ブロック２９の中に動力モーター３０が固定的に設置され、前記モーター２５は前記上折り板２２と前記側折り板とを制御して折り畳むことを行わせ、前記制御モーター２７は前記動力モーター３０を制御して動力の伝達を行わせる。
【００１３】
有益的には、前記推移装置１０１は前記貯蔵チャンバ１２の右側に連通するように設置されている推しロッドチャンバ３１を含み、前記推しロッド１７が前記引き出し１３を通して前記推しロッドチャンバ３１の中まで伸びており、前記推しロッド１７の下端面の中にはラック３２が固定的に設置され、前記推しロッドチャンバ３１の下壁には伝動チャンバ３３が連通するように設置され、前記伝動チャンバ３３の中には前記ラック３２と噛み合っているラック歯車３４が回転できるように設置され、前記ラック歯車３４の前端には従動傘歯車３５が固定的に設置され、前記従動傘歯車３５の右端には前記従動傘歯車３５と噛み合っている主動傘歯車３６が設置され、前記主動傘歯車３６の右端には回転軸３７が固定的に連結され、前記推しロッドチャンバ３１の右側にはプーリチャンバ３８が設置され、前記回転軸３７の右端が前記プーリチャンバ３８の中まで伸びており、且つ前記回転軸３７の右端には従動プーリ３９が固定的に連結され、前記従動プーリ３９の上側には主動プーリ４０が回転できるように設置され、前記従動プーリ３９と前記主動プーリ４０との間には伝動ベルト４１が巻きつくように設置され、前記推しロッド１７は前記推し板１６を連動させて左右に移動させることができる。  
【００１４】
有益的には、前記折り畳み装置１０２は、前記伸縮板２０の中に設置され、且つ上方へ開口した上折り板チャンバ４２を含み、前記上折り板２２の右端が前記上折り板チャンバ４２の前後壁と回転できるように連結され、前記上折り板２２と前記上折り板チャンバ４２の内壁との間には捻りバネ５８が固定的に連結され、前記上折り板チャンバ４２の下壁には平歯車チャンバ４３が前後対称的に、且つ連通するように設置され、前記モーター２５は両側の前記平歯車チャンバ４３の間の内壁の中に固定的に設置され、且つ前記モーター２５の前後側には平歯車４４が動力が伝達できるように連結され、前記上折り板２２の右端には平歯車リング５７が固定的に設置され、前記上折り板チャンバ４２の前後両側には側折り板チャンバ４５が対称的に設置され、前記側折り板２３の前記上折り板チャンバ４２に近接している一端が前記側折り板チャンバ４５の内壁に回転できるように連結され、前記側折り板２３の回転中心のところには従動斜歯歯車４６が固定的に設置され、前記従動斜歯歯車４６の左右両端と前記伸縮板２０との間には復帰バネ５９が固定的に連結され、前記側折り板チャンバ４５の下側には斜歯車チャンバ４７が設置され、前記斜歯車チャンバ４７の中には前記従動斜歯歯車４６と噛み合っている主動斜歯歯車４８が設置され、前記主動斜歯歯車４８が前記平歯車４４に動力が伝達できるように連結され、前記上折り板チャンバ４２の右側には上方へ開口した輸送チャンバ４９が連通するように設置され、前記輸送チャンバ４９の中には輸送ホイール５０が左右対称的に、且つ回転できるように設置され、前記ベルトコンベヤー２４が前記輸送ホイール５０に巻き付くように設置され、右側の前記輸送ホイール５０の前端には伝動斜歯歯車５２が固定的に連結され、前記伸縮チャンバ１９の下壁の左端には空きチャンバ５３が連通するように設置され、前記空きチャンバ５３の中には動力斜歯歯車５４が回転できるように設置され、前記伸縮板２０の中には右方へ開口したネジ山チャンバ５５が前後対称的に設置され、前記ネジ山チャンバ５５の中には伸縮ネジロッド５６がネジ山より連結され、前記上折り板２２と前記側折り板２３とが次々と衣類を畳み、前記ベルトコンベヤー２４は衣類を輸送することができる。
【００１５】
有益的には、前記制御装置１０３は前記動力モーター３０の右端に動力が伝達できるように連結されている動力平歯車６６を含み、前記動力平歯車６６の上端には前記動力平歯車６６と噛み合っている上平歯車６０が設置され、前記制御チャンバ２６の左側にはプーリ伝動チャンバ６１が設置され、前記プーリ伝動チャンバ６１の中には前記上平歯車６０に動力が伝達できるように連結されている動力プーリ６２が回転できるように設置され、前記動力プーリ６２の前後両側には伝動プーリ６３が対称的に、且つ動力が伝達できるように連結され、前記動力平歯車６６の後側には後平歯車６４が設置され、前記後平歯車６４の左端には伝動軸６５が固定的に連結され、前記伝動軸６５の左端が前記動力斜歯歯車５４に固定的に連結され、前記動力平歯車６６の右側には前記動力平歯車６６と噛み合っている内歯車６７が設置され、前記内歯車６７は前記主動プーリ４０に動力が伝達できるように連結されている。  
【００１６】
初期状態において、平歯車４４の三分の一だけに歯があり、且つ平歯車リング５７と噛み合っていなく、主動斜歯歯車４８の三分の一だけに歯があり、前側の主動斜歯歯車４８と従動斜歯歯車４６とが噛み合っており、後側の主動斜歯歯車４８と従動斜歯歯車４６とが噛み合っていない。
【００１７】
Ｔシャツを収納する時、動力モーター３０を始動して動力平歯車６６を連動させて回転させ、上平歯車６０と動力プーリ６２を連動させて回転させ、伝動プーリ６３により伸縮ネジロッド５６を連動させて回転させ、且つ伸縮板２０を連動させて伝動斜歯歯車５２と動力斜歯歯車５４とが噛み合うまで左方へ移動させ、この時に衣類の襟を左方へ向かせ、後ろ身ごろを上方に向かせて伸縮板２０の上方に置き、モーター２５を始動して平歯車４４と主動斜歯歯車４８とを連動させて回転させ、前側の従動斜歯歯車４６が先に回転して側折り板２３を連動させて反転させ、Ｔシャツの前側を畳み、後側の主動斜歯歯車４８と従動斜歯歯車４６とが噛み合って後側の側折り板２３を連動させて反転させ、Ｔシャツの後側を畳み、平歯車４４と平歯車リング５７とが噛み合って上折り板２２を連動させて反転させ、衣類の左側を二つ折りにたたみ、この時制御モーター２７を始動して制御ネジロッド２８を連動させて回転させ、制御ブロック２９と動力モーター３０とを連動させて動力平歯車６６と後平歯車６４とが噛み合うまで右方へ移動させ、動力モーター３０が起動し、動力平歯車６６が後平歯車６４を連動させて回転させ、伝動軸６５により動力斜歯歯車５４を連動させて回転させ、伝動斜歯歯車５２により輸送ホイール５０とベルトコンベヤー２４とを連動させて回転させ、畳み終わったＴシャツを右方へ移動させ、畳み終わったＴシャツが服落としチャンバ１８により収納チャンバ１５の中の右側に落ち、Ｔシャツが一定の高度までたたまれると、制御モーター２７が起動し、動力平歯車６６と内歯車６７が噛み合った後に制御モーター２７が停止し、動力モーター３０が起動し、内歯車６７を連動させて回転させ、推しロッド１７が推し板１６を連動させて左方へ移動させ、Ｔシャツを収納チャンバ１５の中の左側まで推してから復帰させ、後続の収納に便利を与える。
【００１８】
本発明の有益効果は：本発明は構造が簡単で、操作が便利であり、本装置により自動的に衣類をたたんで収納することができ、家事の労働量を減少できるだけではなく、労働の効率も向上させる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175142.tif 000003
【図２】
2020175142.tif 000004
【図３】
2020175142.tif 000005
【図４】
2020175142.tif 000006
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
正面図で、Ｔシャツの畳みと収納装置は：棚主体を含み、前記棚主体の中には左方へ開口した貯蔵チャンバが設置され、前記貯蔵チャンバの中には引き出しがスライドできるように設置され、前記引き出しの左端には取手が固定的に設置され、前記引き出しの中には収納チャンバが設置され、前記収納チャンバの右側には推移装置が設置され、前記貯蔵チャンバの上側には折り畳み装置が設置され、前記折り畳み装置の右側には制御装置が設置され、前記推移装置は前記収納チャンバの中にスライドできるように設置されている推し板を含み、前記推し板の右端には推しロッドが固定的に連結され、前記折り畳み装置は前記貯蔵チャンバの上側内壁の中に連通するように設置されている服落としチャンバを含み、前記服落としチャンバの上側には左方へ開口した伸縮チャンバが連通するように設置され、前記伸縮チャンバの中には伸縮板がスライドできるように設置され、前記伸縮板の左端には密封板が固定的に設置され、前記伸縮板の上側の左端には上折り板が設置され、前記伸縮板の上側の前後両端にはそれぞれ側折り板が設置され、前記伸縮板の中にはベルトコンベヤーが設置され、前記上折り板の下側にはモーターが設置され、前記制御装置は前記伸縮チャンバの右側に設置されている制御チャンバを含み、前記制御チャンバの右壁下端には制御モーターが固定的に設置され、前記制御モーターの左端には制御ネジロッドが動力が伝達できるように連結され、前記制御ネジロッドには前記制御チャンバの内壁にスライドできるように連結されている制御ブロックがネジ山により連結され、前記制御ブロックの中に動力モーターが固定的に設置され、前記制御モーターは前記動力モーターを制御して動力の伝達を行わせることができ、
前記推移装置は前記貯蔵チャンバの右側に連通するように設置されている推しロッドチャンバを含み、前記推しロッドが前記引き出しを通して前記推しロッドチャンバの中まで伸びており、前記推しロッドの下端面の中にはラックが固定的に設置され、前記推しロッドチャンバの下壁には伝動チャンバが連通するように設置され、前記伝動チャンバの中には前記ラックと噛み合っているラック歯車が回転できるように設置され、前記ラック歯車の前端には従動傘歯車が固定的に設置され、前記従動傘歯車の右端には前記従動傘歯車と噛み合っている主動傘歯車が設置され、前記主動傘歯車の右端には回転軸が固定的に連結され、前記推しロッドチャンバの右側にはプーリチャンバが設置され、前記回転軸の右端が前記プーリチャンバの中まで伸びており、且つ前記回転軸の右端には従動プーリが固定的に連結され、前記従動プーリの上側には主動プーリが回転できるように設置され、前記従動プーリと前記主動プーリとの間には伝動ベルトが巻きつくように設置され、前記推しロッドは前記推し板を連動させて左右に移動させることができ、
前記折り畳み装置は、前記伸縮板の中に設置され、且つ上方へ開口した上折り板チャンバを含み、前記上折り板の右端が前記上折り板チャンバの前後壁と回転できるように連結され、前記上折り板と前記上折り板チャンバの内壁との間には捻りバネが固定的に連結され、前記上折り板チャンバの下壁には平歯車チャンバが前後対称的に、且つ連通するように設置され、前記モーターは両側の前記平歯車チャンバの間の内壁の中に固定的に設置され、且つ前記モーターの前後側には平歯車が動力が伝達できるように連結され、前記上折り板の右端には平歯車リングが固定的に設置され、前記上折り板チャンバの前後両側には側折り板チャンバが対称的に設置され、前記側折り板の前記上折り板チャンバに近接している一端が前記側折り板チャンバの内壁に回転できるように連結され、前記側折り板の回転中心のところには従動斜歯歯車が固定的に設置され、前記従動斜歯歯車の左右両端と前記伸縮板との間には復帰バネが固定的に連結され、前記側折り板チャンバの下側には斜歯車チャンバが設置され、前記斜歯車チャンバの中には前記従動斜歯歯車と噛み合っている主動斜歯歯車が設置され、前記主動斜歯歯車が前記平歯車に動力が伝達できるように連結され、前記上折り板チャンバの右側には上方へ開口した輸送チャンバが連通するように設置され、前記輸送チャンバの中には輸送ホイールが左右対称的に、且つ回転できるように設置され、前記ベルトコンベヤーが前記輸送ホイールに巻き付くように設置され、右側の前記輸送ホイールの前端には伝動斜歯歯車が固定的に連結され、前記伸縮チャンバの下壁の左端には空きチャンバが連通するように設置され、前記空きチャンバの中には動力斜歯歯車が回転できるように設置され、前記伸縮板の中には右方へ開口したネジ山チャンバが前後対称的に設置され、前記ネジ山チャンバの中には伸縮ネジロッドがネジ山より連結され、前記上折り板と前記側折り板とが次々と衣類を畳み、前記ベルトコンベヤーは衣類を輸送することができ、
前記制御装置は前記動力モーターの右端に動力が伝達できるように連結されている動力平歯車を含み、前記動力平歯車の上端には前記動力平歯車と噛み合っている上平歯車が設置され、前記制御チャンバの左側にはプーリ伝動チャンバが設置され、前記プーリ伝動チャンバの中には前記上平歯車に動力が伝達できるように連結されている動力プーリが回転できるように設置され、前記動力プーリの前後両側には伝動プーリが対称的に、且つ動力が伝達できるように連結され、前記動力平歯車の後側には後平歯車が設置され、前記後平歯車の左端には伝動軸が固定的に連結され、前記伝動軸の左端が前記動力斜歯歯車に固定的に連結され、前記動力平歯車の右側には前記動力平歯車と噛み合っている内歯車が設置され、前記内歯車は前記主動プーリに動力が伝達できるように連結されており、
前記モーターを始動して前記平歯車と前記主動斜歯歯車とを連動させて回転させ、前側の前記従動斜歯歯車が先に回転して前記側折り板を連動させて反転させ、Ｔシャツの前側を畳み、後側の前記主動斜歯歯車と前記従動斜歯歯車とが噛み合って後側の前記側折り板を連動させて反転させ、Ｔシャツの後側を畳み、前記平歯車と前記平歯車リングとが噛み合って前記上折り板を連動させて反転させ、衣類の左側を二つ折りにたたむことを特徴とするＴシャツの畳みと収納装置。  
【手続補正２】
【補正対象書類名】明細書
【補正対象項目名】全文
【補正方法】変更
【補正の内容】
【発明の詳細な説明】
【技術分野】
【０００１】
本発明は生活用品技術分野を取り上げて、具体的にはＴシャツの畳みと収納装置である。
【背景技術】
【０００２】
衣類をたたむことは時間がかかる家事であり、夏にＴシャツは着替えの回数が一番多い衣類であり、毎日も長い時間を使って衣類をたたんで収納し、現有の一部の装置ははやく衣類をたたむことに役に立ち、しかし一足飛びに目的を達成できなく、そのため、Ｔシャツの畳みと収納装置が必要であり、本装置は自動的に衣類をたためるだけではなく、収納もでき、時間と精力を節約します。
【先行技術文献】
【特許文献】
【０００３】
【特許文献１】中国特許出願公開第１０９５１２１０８号明細書
【発明の概要】
【発明が解決しようとする課題】
【０００４】
本発明はＴシャツの畳みと収納装置を提供し、従来技術における上記欠点を解消することを目的とする。
【課題を解決するための手段】
【０００５】
本発明のＴシャツの畳みと収納装置は、棚主体を含み、前記棚主体の中には左方へ開口した貯蔵チャンバが設置され、前記貯蔵チャンバの中には引き出しがスライドできるように設置され、前記引き出しの左端には取手が固定的に設置され、前記引き出しの中には収納チャンバが設置され、前記収納チャンバの右側には推移装置が設置され、前記貯蔵チャンバの上側には折り畳み装置が設置され、前記折り畳み装置の右側には制御装置が設置され、前記推移装置は前記収納チャンバの中にスライドできるように設置されている推し板を含み、前記推し板の右端には推しロッドが固定的に連結され、前記折り畳み装置は前記貯蔵チャンバの上側内壁の中に連通するように設置されている服落としチャンバを含み、前記服落としチャンバの上側には左方へ開口した伸縮チャンバが連通するように設置され、前記伸縮チャンバの中には伸縮板がスライドできるように設置され、前記伸縮板の左端には密封板が固定的に設置され、前記伸縮板の上側の左端には上折り板が設置され、前記伸縮板の上側の前後両端にはそれぞれ側折り板が設置され、前記伸縮板の中にはベルトコンベヤーが設置され、前記上折り板の下側にはモーターが設置され、前記制御装置は前記伸縮チャンバの右側に設置されている制御チャンバを含み、前記制御チャンバの右壁下端には制御モーターが固定的に設置され、前記制御モーターの左端には制御ネジロッドが動力が伝達できるように連結され、前記制御ネジロッドには前記制御チャンバの内壁にスライドできるように連結されている制御ブロックがネジ山により連結され、前記制御ブロックの中に動力モーターが固定的に設置され、前記制御モーターは前記動力モーターを制御して動力の伝達を行わせる。
【０００６】
更の技術プランとしては、前記推移装置は前記貯蔵チャンバの右側に連通するように設置されている推しロッドチャンバを含み、前記推しロッドが前記引き出しを通して前記推しロッドチャンバの中まで伸びており、前記推しロッドの下端面の中にはラックが固定的に設置され、前記推しロッドチャンバの下壁には伝動チャンバが連通するように設置され、前記伝動チャンバの中には前記ラックと噛み合っているラック歯車が回転できるように設置され、前記ラック歯車の前端には従動傘歯車が固定的に設置され、前記従動傘歯車の右端には前記従動傘歯車と噛み合っている主動傘歯車が設置され、前記主動傘歯車の右端には回転軸が固定的に連結され、前記推しロッドチャンバの右側にはプーリチャンバが設置され、前記回転軸の右端が前記プーリチャンバの中まで伸びており、且つ前記回転軸の右端には従動プーリが固定的に連結され、前記従動プーリの上側には主動プーリが回転できるように設置され、前記従動プーリと前記主動プーリとの間には伝動ベルトが巻きつくように設置され、前記推しロッドは前記推し板を連動させて左右に移動させることができる。  
【０００７】
更の技術プランとしては、前記折り畳み装置は、前記伸縮板の中に設置され、且つ上方へ開口した上折り板チャンバを含み、前記上折り板の右端が前記上折り板チャンバの前後壁と回転できるように連結され、前記上折り板と前記上折り板チャンバの内壁との間には捻りバネが固定的に連結され、前記上折り板チャンバの下壁には平歯車チャンバが前後対称的に、且つ連通するように設置され、前記モーターは両側の前記平歯車チャンバの間の内壁の中に固定的に設置され、且つ前記モーターの前後側には平歯車が動力が伝達できるように連結され、前記上折り板の右端には平歯車リングが固定的に設置され、前記上折り板チャンバの前後両側には側折り板チャンバが対称的に設置され、前記側折り板の前記上折り板チャンバに近接している一端が前記側折り板チャンバの内壁に回転できるように連結され、前記側折り板の回転中心のところには従動斜歯歯車が固定的に設置され、前記従動斜歯歯車の左右両端と前記伸縮板との間には復帰バネが固定的に連結され、前記側折り板チャンバの下側には斜歯車チャンバが設置され、前記斜歯車チャンバの中には前記従動斜歯歯車と噛み合っている主動斜歯歯車が設置され、前記主動斜歯歯車が前記平歯車に動力が伝達できるように連結され、前記上折り板チャンバの右側には上方へ開口した輸送チャンバが連通するように設置され、前記輸送チャンバの中には輸送ホイールが左右対称的に、且つ回転できるように設置され、前記ベルトコンベヤーが前記輸送ホイールに巻き付くように設置され、右側の前記輸送ホイールの前端には伝動斜歯歯車が固定的に連結され、前記伸縮チャンバの下壁の左端には空きチャンバが連通するように設置され、前記空きチャンバの中には動力斜歯歯車が回転できるように設置され、前記伸縮板の中には右方へ開口したネジ山チャンバが前後対称的に設置され、前記ネジ山チャンバの中には伸縮ネジロッドがネジ山より連結され、前記上折り板と前記側折り板とが次々と衣類を畳み、前記ベルトコンベヤーは衣類を輸送することができる。
【０００８】
更の技術プランとしては、前記制御装置は前記動力モーターの右端に動力が伝達できるように連結されている動力平歯車を含み、前記動力平歯車の上端には前記動力平歯車と噛み合っている上平歯車が設置され、前記制御チャンバの左側にはプーリ伝動チャンバが設置され、前記プーリ伝動チャンバの中には前記上平歯車に動力が伝達できるように連結されている動力プーリが回転できるように設置され、前記動力プーリの前後両側には伝動プーリが対称的に、且つ動力が伝達できるように連結され、前記動力平歯車の後側には後平歯車が設置され、前記後平歯車の左端には伝動軸が固定的に連結され、前記伝動軸の左端が前記動力斜歯歯車に固定的に連結され、前記動力平歯車の右側には前記動力平歯車と噛み合っている内歯車が設置され、前記内歯車は前記主動プーリに動力が伝達できるように連結されている。  
【発明の効果】
【０００９】
本発明の有益効果は：本発明は構造が簡単で、操作が便利であり、本装置により自動的に衣類をたたんで収納することができ、家事の労働量を減少できるだけではなく、労働の効率も向上させる。  
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のＴシャツの畳みと収納装置の内部全体構成模式図
【図２】図２は図１の「Ａ−Ａ」方向の構成模式図
【図３】図３は図１の「Ｂ−Ｂ」方向の構成模式図
【図４】図４は図１の「Ｃ−Ｃ」方向の構成模式図
【発明を実施するための形態】
【００１２】
図１〜４を参照し、本発明の提供した実施例はＴシャツの畳みと収納装置は：棚主体１１を含み、前記棚主体１１の中には左方へ開口した貯蔵チャンバ１２が設置され、前記貯蔵チャンバ１２の中には引き出し１３がスライドできるように設置され、前記引き出し１３の左端には取手１４が固定的に設置され、前記引き出し１３の中には収納チャンバ１５が設置され、前記収納チャンバ１５の右側には推移装置１０１が設置され、前記貯蔵チャンバ１２の上側には折り畳み装置１０２が設置され、前記折り畳み装置１０２の右側には制御装置１０３が設置され、前記推移装置１０１は前記収納チャンバ１５の中にスライドできるように設置されている推し板１６を含み、前記推し板１６の右端には推しロッド１７が固定的に連結され、前記折り畳み装置１０２は前記貯蔵チャンバ１２の上側内壁の中に連通するように設置されている服落としチャンバ１８を含み、前記服落としチャンバ１８の上側には左方へ開口した伸縮チャンバ１９が連通するように設置され、前記伸縮チャンバ１９の中には伸縮板２０がスライドできるように設置され、前記伸縮板２０の左端には密封板２１が固定的に設置され、前記伸縮板２０の上側の左端には上折り板２２が設置され、前記伸縮板２０の上側の前後両端にはそれぞれ側折り板２３が設置され、前記伸縮板２０の中にはベルトコンベヤー２４が設置され、前記上折り板２２の下側にはモーター２５が設置され、前記制御装置１０３は前記伸縮チャンバ１９の右側に設置されている制御チャンバ２６を含み、前記制御チャンバ２６の右壁下端には制御モーター２７が固定的に設置され、前記制御モーター２７の左端には制御ネジロッド２８が動力が伝達できるように連結され、前記制御ネジロッド２８には前記制御チャンバ２６の内壁にスライドできるように連結されている制御ブロック２９がネジ山により連結され、前記制御ブロック２９の中に動力モーター３０が固定的に設置され、前記制御モーター２７は前記動力モーター３０を制御して動力の伝達を行わせる。
【００１３】
有益的には、前記推移装置１０１は前記貯蔵チャンバ１２の右側に連通するように設置されている推しロッドチャンバ３１を含み、前記推しロッド１７が前記引き出し１３を通して前記推しロッドチャンバ３１の中まで伸びており、前記推しロッド１７の下端面の中にはラック３２が固定的に設置され、前記推しロッドチャンバ３１の下壁には伝動チャンバ３３が連通するように設置され、前記伝動チャンバ３３の中には前記ラック３２と噛み合っているラック歯車３４が回転できるように設置され、前記ラック歯車３４の前端には従動傘歯車３５が固定的に設置され、前記従動傘歯車３５の右端には前記従動傘歯車３５と噛み合っている主動傘歯車３６が設置され、前記主動傘歯車３６の右端には回転軸３７が固定的に連結され、前記推しロッドチャンバ３１の右側にはプーリチャンバ３８が設置され、前記回転軸３７の右端が前記プーリチャンバ３８の中まで伸びており、且つ前記回転軸３７の右端には従動プーリ３９が固定的に連結され、前記従動プーリ３９の上側には主動プーリ４０が回転できるように設置され、前記従動プーリ３９と前記主動プーリ４０との間には伝動ベルト４１が巻きつくように設置され、前記推しロッド１７は前記推し板１６を連動させて左右に移動させることができる。  
【００１４】
有益的には、前記折り畳み装置１０２は、前記伸縮板２０の中に設置され、且つ上方へ開口した上折り板チャンバ４２を含み、前記上折り板２２の右端が前記上折り板チャンバ４２の前後壁と回転できるように連結され、前記上折り板２２と前記上折り板チャンバ４２の内壁との間には捻りバネ５８が固定的に連結され、前記上折り板チャンバ４２の下壁には平歯車チャンバ４３が前後対称的に、且つ連通するように設置され、前記モーター２５は両側の前記平歯車チャンバ４３の間の内壁の中に固定的に設置され、且つ前記モーター２５の前後側には平歯車４４が動力が伝達できるように連結され、前記上折り板２２の右端には平歯車リング５７が固定的に設置され、前記上折り板チャンバ４２の前後両側には側折り板チャンバ４５が対称的に設置され、前記側折り板２３の前記上折り板チャンバ４２に近接している一端が前記側折り板チャンバ４５の内壁に回転できるように連結され、前記側折り板２３の回転中心のところには従動斜歯歯車４６が固定的に設置され、前記従動斜歯歯車４６の左右両端と前記伸縮板２０との間には復帰バネ５９が固定的に連結され、前記側折り板チャンバ４５の下側には斜歯車チャンバ４７が設置され、前記斜歯車チャンバ４７の中には前記従動斜歯歯車４６と噛み合っている主動斜歯歯車４８が設置され、前記主動斜歯歯車４８が前記平歯車４４に動力が伝達できるように連結され、前記上折り板チャンバ４２の右側には上方へ開口した輸送チャンバ４９が連通するように設置され、前記輸送チャンバ４９の中には輸送ホイール５０が左右対称的に、且つ回転できるように設置され、前記ベルトコンベヤー２４が前記輸送ホイール５０に巻き付くように設置され、右側の前記輸送ホイール５０の前端には伝動斜歯歯車５２が固定的に連結され、前記伸縮チャンバ１９の下壁の左端には空きチャンバ５３が連通するように設置され、前記空きチャンバ５３の中には動力斜歯歯車５４が回転できるように設置され、前記伸縮板２０の中には右方へ開口したネジ山チャンバ５５が前後対称的に設置され、前記ネジ山チャンバ５５の中には伸縮ネジロッド５６がネジ山より連結され、前記上折り板２２と前記側折り板２３とが次々と衣類を畳み、前記ベルトコンベヤー２４は衣類を輸送することができる。
【００１５】
有益的には、前記制御装置１０３は前記動力モーター３０の右端に動力が伝達できるように連結されている動力平歯車６６を含み、前記動力平歯車６６の上端には前記動力平歯車６６と噛み合っている上平歯車６０が設置され、前記制御チャンバ２６の左側にはプーリ伝動チャンバ６１が設置され、前記プーリ伝動チャンバ６１の中には前記上平歯車６０に動力が伝達できるように連結されている動力プーリ６２が回転できるように設置され、前記動力プーリ６２の前後両側には伝動プーリ６３が対称的に、且つ動力が伝達できるように連結され、前記動力平歯車６６の後側には後平歯車６４が設置され、前記後平歯車６４の左端には伝動軸６５が固定的に連結され、前記伝動軸６５の左端が前記動力斜歯歯車５４に固定的に連結され、前記動力平歯車６６の右側には前記動力平歯車６６と噛み合っている内歯車６７が設置され、前記内歯車６７は前記主動プーリ４０に動力が伝達できるように連結されている。  
【００１６】
初期状態において、平歯車４４の三分の一だけに歯があり、且つ平歯車リング５７と噛み合っていなく、主動斜歯歯車４８の三分の一だけに歯があり、前側の主動斜歯歯車４８と従動斜歯歯車４６とが噛み合っており、後側の主動斜歯歯車４８と従動斜歯歯車４６とが噛み合っていない。
【００１７】
Ｔシャツを収納する時、動力モーター３０を始動して動力平歯車６６を連動させて回転させ、上平歯車６０と動力プーリ６２を連動させて回転させ、伝動プーリ６３により伸縮ネジロッド５６を連動させて回転させ、且つ伸縮板２０を連動させて伝動斜歯歯車５２と動力斜歯歯車５４とが噛み合うまで左方へ移動させ、この時に衣類の襟を左方へ向かせ、後ろ身ごろを上方に向かせて伸縮板２０の上方に置き、モーター２５を始動して平歯車４４と主動斜歯歯車４８とを連動させて回転させ、前側の従動斜歯歯車４６が先に回転して側折り板２３を連動させて反転させ、Ｔシャツの前側を畳み、後側の主動斜歯歯車４８と従動斜歯歯車４６とが噛み合って後側の側折り板２３を連動させて反転させ、Ｔシャツの後側を畳み、平歯車４４と平歯車リング５７とが噛み合って上折り板２２を連動させて反転させ、衣類の左側を二つ折りにたたみ、この時制御モーター２７を始動して制御ネジロッド２８を連動させて回転させ、制御ブロック２９と動力モーター３０とを連動させて動力平歯車６６と後平歯車６４とが噛み合うまで右方へ移動させ、動力モーター３０が起動し、動力平歯車６６が後平歯車６４を連動させて回転させ、伝動軸６５により動力斜歯歯車５４を連動させて回転させ、伝動斜歯歯車５２により輸送ホイール５０とベルトコンベヤー２４とを連動させて回転させ、畳み終わったＴシャツを右方へ移動させ、畳み終わったＴシャツが服落としチャンバ１８により収納チャンバ１５の中の右側に落ち、Ｔシャツが一定の高度までたたまれると、制御モーター２７が起動し、動力平歯車６６と内歯車６７が噛み合った後に制御モーター２７が停止し、動力モーター３０が起動し、内歯車６７を連動させて回転させ、推しロッド１７が推し板１６を連動させて左方へ移動させ、Ｔシャツを収納チャンバ１５の中の左側まで推してから復帰させ、後続の収納に便利を与える。
【００１８】
本発明の有益効果は：本発明は構造が簡単で、操作が便利であり、本装置により自動的に衣類をたたんで収納することができ、家事の労働量を減少できるだけではなく、労働の効率も向上させる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
正面図で、Ｔシャツの畳みと収納装置は：棚主体を含み、前記棚主体の中には左方へ開口した貯蔵チャンバが設置され、前記貯蔵チャンバの中には引き出しがスライドできるように設置され、前記引き出しの左端には取手が固定的に設置され、前記引き出しの中には収納チャンバが設置され、前記収納チャンバの右側には推移装置が設置され、前記貯蔵チャンバの上側には折り畳み装置が設置され、前記折り畳み装置の右側には制御装置が設置され、前記推移装置は前記収納チャンバの中にスライドできるように設置されている推し板を含み、前記推し板の右端には推しロッドが固定的に連結され、前記折り畳み装置は前記貯蔵チャンバの上側内壁の中に連通するように設置されている服落としチャンバを含み、前記服落としチャンバの上側には左方へ開口した伸縮チャンバが連通するように設置され、前記伸縮チャンバの中には伸縮板がスライドできるように設置され、前記伸縮板の左端には密封板が固定的に設置され、前記伸縮板の上側の左端には上折り板が設置され、前記伸縮板の上側の前後両端にはそれぞれ側折り板が設置され、前記伸縮板の中にはベルトコンベヤーが設置され、前記ベルトコンベヤーによってＴシャツを右方へ送った後に、Ｔシャツは前記収納チャンバの中の右側に落下して収納され、前記上折り板の下側にはモーターが設置され、前記制御装置は前記伸縮チャンバの右側に設置されている制御チャンバを含み、前記制御チャンバの右壁下端には制御モーターが固定的に設置され、前記制御モーターの左端には制御ネジロッドが動力が伝達できるように連結され、前記制御ネジロッドには前記制御チャンバの内壁にスライドできるように連結されている制御ブロックがネジ山により連結され、前記制御ブロックの中に動力モーターが固定的に設置され、前記制御モーターは前記動力モーターを制御して動力の伝達を行わせることができ、
前記推移装置は前記貯蔵チャンバの右側に連通するように設置されている推しロッドチャンバを含み、前記推しロッドが前記引き出しを通して前記推しロッドチャンバの中まで伸びており、前記推しロッドの下端面の中にはラックが固定的に設置され、前記推しロッドチャンバの下壁には伝動チャンバが連通するように設置され、前記伝動チャンバの中には前記ラックと噛み合っているラック歯車が回転できるように設置され、前記ラック歯車の前端には従動傘歯車が固定的に設置され、前記従動傘歯車の右端には前記従動傘歯車と噛み合っている主動傘歯車が設置され、前記主動傘歯車の右端には回転軸が固定的に連結され、前記推しロッドチャンバの右側にはプーリチャンバが設置され、前記回転軸の右端が前記プーリチャンバの中まで伸びており、且つ前記回転軸の右端には従動プーリが固定的に連結され、前記従動プーリの上側には主動プーリが回転できるように設置され、前記従動プーリと前記主動プーリとの間には伝動ベルトが巻きつくように設置され、前記推しロッドは前記推し板を連動させて左右に移動させることができ、
前記折り畳み装置は、前記伸縮板の中に設置され、且つ上方へ開口した上折り板チャンバを含み、前記上折り板の右端が前記上折り板チャンバの前後壁と回転できるように連結され、前記上折り板と前記上折り板チャンバの内壁との間には捻りバネが固定的に連結され、前記上折り板チャンバの下壁には平歯車チャンバが前後対称的に、且つ連通するように設置され、前記モーターは両側の前記平歯車チャンバの間の内壁の中に固定的に設置され、且つ前記モーターの前後側には平歯車が動力が伝達できるように連結され、前記上折り板の右端には平歯車リングが固定的に設置され、前記上折り板チャンバの前後両側には側折り板チャンバが対称的に設置され、前記側折り板の前記上折り板チャンバに近接している一端が前記側折り板チャンバの内壁に回転できるように連結され、前記側折り板の回転中心のところには従動斜歯歯車が固定的に設置され、前記従動斜歯歯車の左右両端と前記伸縮板との間には復帰バネが固定的に連結され、前記側折り板チャンバの下側には斜歯車チャンバが設置され、前記斜歯車チャンバの中には前記従動斜歯歯車と噛み合っている主動斜歯歯車が設置され、前記主動斜歯歯車が前記平歯車に動力が伝達できるように連結され、前記上折り板チャンバの右側には上方へ開口した輸送チャンバが連通するように設置され、前記輸送チャンバの中には輸送ホイールが左右対称的に、且つ回転できるように設置され、前記ベルトコンベヤーが前記輸送ホイールに巻き付くように設置され、右側の前記輸送ホイールの前端には伝動斜歯歯車が固定的に連結され、前記伸縮チャンバの下壁の左端には空きチャンバが連通するように設置され、前記空きチャンバの中には動力斜歯歯車が回転できるように設置され、前記伸縮板の中には右方へ開口したネジ山チャンバが前後対称的に設置され、前記ネジ山チャンバの中には伸縮ネジロッドがネジ山より連結され、前記上折り板と前記側折り板とが次々と衣類を畳み、前記ベルトコンベヤーは衣類を輸送することができ、
前記制御装置は前記動力モーターの右端に動力が伝達できるように連結されている動力平歯車を含み、前記動力平歯車の上端には前記動力平歯車と噛み合っている上平歯車が設置され、前記制御チャンバの左側にはプーリ伝動チャンバが設置され、前記プーリ伝動チャンバの中には前記上平歯車に動力が伝達できるように連結されている動力プーリが回転できるように設置され、前記動力プーリの前後両側には伝動プーリが対称的に、且つ動力が伝達できるように連結され、前記動力平歯車の後側には後平歯車が設置され、前記後平歯車の左端には伝動軸が固定的に連結され、前記伝動軸の左端が前記動力斜歯歯車に固定的に連結され、前記動力平歯車の右側には前記動力平歯車と噛み合っている内歯車が設置され、前記内歯車は前記主動プーリに動力が伝達できるように連結されており、
前記モーターを始動して前記平歯車と前記主動斜歯歯車とを連動させて回転させ、前側の前記従動斜歯歯車が先に回転して前記側折り板を連動させて反転させ、Ｔシャツの前側を畳み、後側の前記主動斜歯歯車と前記従動斜歯歯車とが噛み合って後側の前記側折り板を連動させて反転させ、Ｔシャツの後側を畳み、前記平歯車と前記平歯車リングとが噛み合って前記上折り板を連動させて反転させ、衣類の左側を二つ折りにたたむことを特徴とするＴシャツの畳みと収納装置。